(57)【特許請求の範囲】
【請求項１】
吸引および吐出の可逆動作を可能にするポンプと、
該ポンプに連絡する配管に介挿され、前記ポンプによって吸引されたクーラント液に含まれる切り粉その他の異物を除去するとともに、前記ポンプが吐出動作を行うときには堆積した異物を配管を介してタンクに排出する保護フィルタと
から成り、
前記ポンプが、シリンダ内に往復動するプランジャが介挿され、吸引動作における吸入ポートと吐出動作における吐出ポートとを兼ねるとともに、前記保護フィルタに連絡する前記配管に連絡する１個のポートを備えたプランジャポンプによって構成され、
前記プランジャポンプが、対向して配設されたシリンダ内に介挿された両プランジャが連結部材によって連結されており、一方が吸引動作を行うときには他方が吐出動作を行うことを可能にする一対のプランジャポンプによって構成され、
前記一対のプランジャポンプが、前記両プランジャを連結する前記連結部材をクランク機構を介して往復動させるモータを備え、
前記一対のプランジャポンプに夫々連絡する配管に介挿された保護フィルタは、フィルタ部材によって２つの部屋に分割されるフィルタ装置によって構成され、
前記フィルタ装置と前記タンクとの間の配管に配設され、前記ポンプの吸引動作のときに開となる吸引弁と前記ポンプの吐出動作のときに開となる吐出弁とから成る開閉弁を備えている
ことを特徴とするクーラント清掃装置。
【請求項２】
請求項１において、
前記タンクの上部にメッシュの異なる網を張設した取外し自在の切り粉受けカゴを並設したことを特徴とするクーラント清掃装置。
【発明の詳細な説明】
【０００１】
【産業上の利用分野】
本発明は、金属その他の材料を加工する際に用いられる潤滑用のクーラント液に含まれる切り粉その他の異物を除去する保護フィルタにおける異物の堆積を解消して、異物を含まないクーラント液の安定供給を可能にするクーラント清掃装置に関する。
【０００２】
【従来の技術】
従来の第１のクーラント清掃装置は、図２に示すようにモータＭによって回転駆動されるポンプＰによってクーラントタンクＴ内のクーラント液を吸引することにより、前記クーラントタンクＴと前記ポンプＰとを連絡する配管Ｄに介挿されたフィルタＦによって、前記クーラント液に含まれる切り粉その他の異物を除去するものであった。
【０００３】
従来の第２のクーラント清掃装置は、図３に示すようにモータＭによって回転駆動されるクランクＣを介してプランジャＰＬを往復動させるプランジャポンプＰＰによってクーラントタンクＴ内のクーラント液を吸引することにより、前記クーラントタンクＴと前記ポンプＰとを連絡する配管Ｄに介挿されたフィルタＦによって、前記クーラント液に含まれる切り粉その他の異物を除去するものであった。
【０００４】
従来の第３のクーラント清掃装置は、図４に示すように密閉可能な第１タンクＦＴにその上部から該第１タンクＦＴ内の空気を排出する真空ポンプＳを付設し、前記第１タンクＦＴの上部に取外し可能な第１ろ過器ＦＦを介して吸引パイプＳＰを接続するとともに、戻しポンプＲＰによってクーラント液を前記第１タンクＦＴの下部に配設した第２ろ過器ＳＦおよび戻しパイプＭＰを介して第２タンクＳＴに戻し得る構成より成るものであった。
【０００５】
【発明が解決しようとする課題】
上記従来の第１のクーラント清掃装置は、前記ポンプＰによってクーラントタンクＴ内のクーラント液を吸引することにより、前記フィルタＦによって、前記クーラント液に含まれる切り粉その他の異物を除去するものであるため、使用に応じて除去された切り粉その他の異物が堆積するので、クーラント液の流れ抵抗が増大するとともに、通過するクーラント液に切り粉その他の異物が混入し、前記ポンプＰに悪影響があるという問題があった。
【０００６】
上記従来の第２のクーラント清掃装置は、前記プランジャポンプＰＰによってクーラントタンクＴ内のクーラント液を吸引することにより、前記フィルタＦによって、前記クーラント液に含まれる切り粉その他の異物を除去するものであるため、使用に応じて除去された切り粉その他の異物が堆積するので、クーラント液の流れ抵抗が増大するとともに、通過するクーラント液に切り粉その他の異物が混入し、前記ポンプＰに悪影響があるという問題があった。
【０００７】
また上記従来の第２のクーラント清掃装置は、前記プランジャポンプＰＰが、前記モータＭによって回転駆動されるクランクＣを介してプランジャＰＬを往復動させるものであるため、振動騒音が大きく、防音室が必要になるという問題があった。
【０００８】
上記従来の第３のクーラント清掃装置は、前記真空ポンプＳおよび戻しポンプＲＰによって第１タンクＦＴおよび第２タンクＳＴ内のクーラント液を吸引することにより、前記第１ろ過器ＦＦおよび第２ろ過器ＳＦによって、前記クーラント液に含まれる切り粉その他の異物を除去するものであるため、使用に応じて除去された切り粉その他の異物が堆積するので、クーラント液の流れ抵抗が増大するとともに、通過するクーラント液に切り粉その他の異物が混入し、前記戻しポンプＲＰに悪影響があるという問題があった。
【０００９】
そこで本発明者らは、吸引および吐出の可逆動作を可能にするポンプによって吸引動作において吸引されたクーラント液に含まれる切り粉その他の異物を除去するとともに、吐出動作において保護フィルタに堆積した異物を配管を介してタンクに排出するという本発明の技術的思想に着眼し、更に研究開発を重ねて、吐出動作において堆積した切り粉その他の異物を排出することにより、クーラント液の流れの抵抗の増加を防止するとともに、通過するクーラント液に切り粉その他の異物の混入を防止して、前記ポンプＰへの悪影響を防止するという目的を達成する本発明に到達した。
【００１０】
【課題を解決するための手段】
本発明（請求項１に記載の第１発明）のクーラント清掃装置は、
吸引および吐出の可逆動作を可能にするポンプと、
該ポンプに連絡する配管に介挿され、前記ポンプによって吸引されたクーラント液に含まれる切り粉その他の異物を除去するとともに、前記ポンプが吐出動作を行うときには堆積した異物を配管を介してタンクに排出する保護フィルタと
から成り、
前記ポンプが、シリンダ内に往復動するプランジャが介挿され、吸引動作における吸入ポートと吐出動作における吐出ポートとを兼ねるとともに、前記保護フィルタに連絡する前記配管に連絡する１個のポートを備えたプランジャポンプによって構成され、
前記プランジャポンプが、対向して配設されたシリンダ内に介挿された両プランジャが連結部材によって連結されており、一方が吸引動作を行うときには他方が吐出動作を行うことを可能にする一対のプランジャポンプによって構成され、
前記一対のプランジャポンプが、前記両プランジャを連結する前記連結部材をクランク機構を介して往復動させるモータを備え、
前記一対のプランジャポンプに夫々連絡する配管に介挿された保護フィルタは、フィルタ部材によって２つの部屋に分割されるフィルタ装置によって構成され、
前記フィルタ装置と前記タンクとの間の配管に配設され、前記ポンプの吸引動作のときに開となる吸引弁と前記ポンプの吐出動作のときに開となる吐出弁とから成る開閉弁を備えている
ものである。
【００１６】
本発明（請求項２に記載の第２発明）のクーラント清掃装置は、
第１発明において、
前記タンクの上部にメッシュの異なる網を張設した取外し自在の切り粉受けカゴを並設した
ものである。
【００１７】
【作用】
上記構成より成る第１発明のクーラント清掃装置は、吸引および吐出の可逆動作を行う前記ポンプによって吸引されたクーラント液に含まれる切り粉その他の異物を、前記保護フィルタによって除去するとともに、前記ポンプの吐出動作において前記保護フィルタに堆積した異物を前記配管を介して前記タンクに排出するものである。
【００１８】
上記構成より成る第１発明のクーラント清掃装置は、前記シリンダ内に往復動する前記プランジャが介挿され吸引および吐出の可逆動作を行う前記プランジャポンプによって吸引されたクーラント液に含まれる切り粉その他の異物を、吸引動作における吸入ポートと吐出動作における吐出ポートとを兼ねた前記１個のポートに連絡する前記配管に介挿された前記保護フィルタによって除去するとともに、前記ポンプの吐出動作において前記保護フィルタに堆積した異物を前記配管を介して前記タンクに排出するものである。
【００１９】
上記構成より成る第１発明のクーラント清掃装置は、前記一対のプランジャポンプにおいて、対向して配設されたシリンダ内に介挿された両プランジャが連結部材によって連結されているので、一方のプランジャポンプが吸引動作を行い吸引されたクーラント液に含まれる切り粉その他の異物を前記保護フィルタによって除去している時、並行して他方のプランジャポンプが吐出動作を行い前記保護フィルタに堆積した異物を前記配管を介して前記タンクに排出するものである。
【００２０】
上記構成より成る第１発明のクーラント清掃装置は、前記モータによって、前記一対のプランジャポンプにおける前記両プランジャを連結する前記連結部材をクランク機構を介して往復動させることにより、一方のプランジャポンプが吸引動作を行い吸引されたクーラント液に含まれる切り粉その他の異物を前記保護フィルタによって除去している時、並行して他方のプランジャポンプが吐出動作を行い前記保護フィルタに堆積した異物を前記配管を介して前記タンクに排出するものである。
【００２１】
上記構成より成る第１発明のクーラント清掃装置は、吸引動作において記ポンプによって吸引されたクーラント液に含まれる切り粉その他の異物を、前記フィルタ装置の前記フィルタ部材によって除去して該フィルタ部材によって分割された２つの部屋の上流側の部屋に堆積するとともに、前記ポンプの吐出動作において前記フィルタ装置の上流側の部屋に堆積した異物を前記配管を介して前記タンクに排出するものである。
【００２２】
上記構成より成る第１発明のクーラント清掃装置は、前記フィルタ装置と前記タンクとの間の配管に配設された前記開閉弁によって、前記ポンプの吸引動作のときに開となる前記吸引弁を介して前記クーラント液を吸引して、前記フィルタ装置に供給するとともに、前記ポンプの吐出動作のときに開となる前記吐出弁を介して前記フィルタ部材に堆積した異物を前記配管を介して前記タンクに排出するものである。
【００２３】
上記構成より成る第２発明のクーラント清掃装置は、前記タンクの上部に並設した前記切り粉受けカゴに張設したメッシュの異なる網により、前記ポンプの吐出動作のときに開となる前記吐出弁および配管を介して前記タンクに排出された前記クーラント液とともに前記フィルタ部材に堆積した異物を捕獲して、前記クーラント液のみを前記タンク内に落下させるとともに、前記切り粉受けカゴに一定量以上の切り粉その他の異物が堆積すると、前記切り粉受けカゴを取外して堆積した異物を除去するものである。
【００２４】
【発明の効果】
上記作用を奏する第１発明のクーラント清掃装置は、前記ポンプの吸引動作において吸引されたクーラント液に含まれる切り粉その他の異物を、前記保護フィルタによって除去するとともに、前記ポンプの吐出動作において前記保護フィルタに堆積した異物を前記配管を介して前記タンクに排出するので、クーラント液の流れの抵抗の増加を防止するとともに、通過するクーラント液に切り粉その他の異物の混入を防止して、前記ポンプＰへの悪影響を防止するという効果を奏する。
【００２５】
上記作用を奏する第１発明のクーラント清掃装置は、前記プランジャポンプの吸引動作において吸引されたクーラント液に含まれる切り粉その他の異物を、前記保護フィルタによって除去するとともに、前記プランジャポンプの吐出動作において前記１個のポートに連絡した前記保護フィルタに堆積した異物を前記配管を介して前記タンクに排出するので、クーラント液の流れの抵抗の増加を防止するとともに、通過するクーラント液に切り粉その他の異物の混入を防止して、前記ポンプＰへの悪影響を防止するという効果を奏する。
【００２６】
上記作用を奏する第１発明のクーラント清掃装置は、両プランジャが連結部材によって連結されているため、一方のプランジャポンプが吸引動作を行い吸引されたクーラント液に含まれる切り粉その他の異物を前記保護フィルタによって除去している時、並行して他方のプランジャポンプが吐出動作を行い前記保護フィルタに堆積した異物を前記配管を介して前記タンクに排出するので、クーラント液の流れの抵抗の増加を防止するとともに、通過するクーラント液に切り粉その他の異物の混入を防止して、前記ポンプＰへの悪影響を防止するとともに、両プランジャの慣性を互いに相殺するため振動騒音を低減し、防音室を不要にするという効果を奏する。
【００２７】
上記作用を奏する第１発明のクーラント清掃装置は、前記モータによって前記クランク機構を介して前記両プランジャを連結している前記連結部材を往復動させるため、一方のプランジャポンプが吸引動作を行い吸引されたクーラント液に含まれる切り粉その他の異物を前記保護フィルタによって除去している時、並行して他方のプランジャポンプが吐出動作を行い前記保護フィルタに堆積した異物を前記配管を介して前記タンクに排出するので、クーラント液の流れの抵抗の増加を防止するとともに、通過するクーラント液に切り粉その他の異物の混入を防止して、前記ポンプＰへの悪影響を防止するとともに、両プランジャの慣性を互いに相殺するため振動騒音を低減し、防音室を不要にするという効果を奏する。
【００２８】
上記作用を奏する第１発明のクーラント清掃装置は、前記プランジャポンプの吸引動作において吸引されたクーラント液に含まれる切り粉その他の異物を、前記保護フィルタによって除去するとともに、前記プランジャポンプの吐出動作において前記１個のポートに連絡した前記保護フィルタの上流側の部屋に堆積した異物を前記配管を介して前記タンクに排出するので、クーラント液の流れの抵抗の増加を防止するとともに、前記フィルタ装置の上流側の部屋における異物が排出されるので通過するクーラント液に切り粉その他の異物の混入を防止して、前記ポンプＰへの悪影響を防止するとともに、両プランジャの慣性を互いに相殺するため振動騒音を低減し、防音室を不要にするという効果を奏する。
【００２９】
上記作用を奏する第１発明のクーラント清掃装置は、前記フィルタ装置と前記タンクとの間の配管に配設された前記開閉弁の前記吸引弁および吐出弁によるクーラント液の流れの方向が切り換えられるので、切り粉その他の異物を確実に前記タンクに排出することが出来るという効果を奏する。
【００３０】
上記作用を奏する第２発明のクーラント清掃装置は、前記タンクの上部に並設した異なるメッシュの網を張設した前記切り粉受けカゴにより、前記ポンプの吐出動作において前記タンクに排出された前記クーラント液とともに前記フィルタ部材に堆積した異物を捕獲して、前記クーラント液のみを前記タンク内に落下させるとともに、前記切り粉受けカゴに一定量以上の切り粉その他の異物が堆積すると、前記切り粉受けカゴを取外して堆積した異物を除去するので、前記タンクに収容されるクーラント液に切り粉その他の異物の混入を有効に防止して、前記ポンプＰへの悪影響を防止するという効果を奏する。
【００３１】
【実施例】
以下本発明の実施例につき、図面を用いて説明する。
【００３２】
（第１実施例）
第１実施例のクーラント清掃装置は、図１に示すように対向するプランジャ１１を前記連結部材１２によって連結して一方が吸引動作を行うときには他方が吐出動作を行うことを可能にする一対のプランジャポンプ１と、前記連結部材１２をクランク機構２１を介して往復動させるモータ２と、第１のタンク３１と前記プランジャポンプ１に連絡する配管４に介挿され、吸引されたクーラント液に含まれる切り粉その他の異物を除去するとともに、吐出動作において堆積した異物を配管を介してタンクに排出するフィルタ装置５と、前記フィルタ装置５に連絡する前記配管４に配設され、吸引動作のときに開となる吸引弁６１と吐出動作のときに開となる吐出弁６２とから成る開閉弁６と、第２のタンクの上部にメッシュの異なる網７１、７２を張設した取外し自在に並設される切り粉受けカゴ７とから成る。
【００３３】
前記一対のプランジャポンプ１は、図１に示すように対向して配設されたシリンダ１０内に介挿された円盤状の前記両プランジャ１１が棒状の前記連結部材１２によって連結され、一体的な動きを実現する構成を備え、上下において平行に並設された第１および第２の一対のプランジャポンプによって構成されている。
【００３４】
前記モータ２は、図１に示すように前記第１および第２の一対のプランジャポンプ１の両プランジャ１１を連結する２個の連結部材１２に係止するとともに、回転軸上において対称する位置に配設された一対のＬ字状のクランク機構２１を減速機構２２を介して回転駆動することによって、例えば図１中下方に示された前記第１の一対のプランジャポンプを図１中右方（実線矢印）に移動させるときには、図１中上方に示された前記第２の一対のプランジャポンプを図１中左方（実線矢印）に移動させ得る構成より成る。
【００３５】
前記フィルタ装置５は、図１に示すように前記４個のプランジャポンプの吸引ポートおよび吐出ポートを兼ねた１個のポート１３に連絡するとともに、前記第１のタンク３１に連絡した４個の配管４１、４２、４３、４４に夫々配設され、切り粉その他のサイズに応じた所定のメッシュのフィルタ部材５１、５２、５３、５４によって２つの部屋５１１、５１２、５２１、５２２、５３１、５３２、５４１、５４２に分割される装置によって構成されている。
【００３６】
前記開閉弁６は、図１に示すように略Ｔ字状の４個の弁本体６０によって構成され、前記第１および第２のタンク３１、３２に連絡する配管に連通する両端に時計方向にのみ揺動して吸引動作の時のみ開となる図１中右方に配置された前記吸引弁６１および吐出動作の時のみ開となる図１中左方に配置された前記吐出弁６２が対向して配設され、上方部が夫々４個の前記フィルタ装置５に連絡する前記配管４１、４２、４３、４４に連通するように構成されている。
【００３７】
前記切り粉受けカゴ７は、図１に示すように前記第２のタンクの上部に粗いメッシュの網７１を張設した取外し自在に配設された第１の切り粉受けカゴ７３と、細かいメッシュの網７２を張設した取外し自在に配設された第２の切り粉受けカゴ７４とを並設したもので、上方に配設された第１の切り粉受けカゴ７３により大きな切り粉を捕獲するとともに、下方に配設された第２の切り粉受けカゴ７４により小さな切り粉を捕獲し得る構成より成る。
【００３８】
前記切り粉受けカゴ７を通過して前記第２のタンク３２内に収容されたクーラント液は、図１に示すように戻し配管を介して前記第１のタンク３１に戻されるように構成されている。
【００３９】
上記構成より成る第１実施例のクーラント清掃装置は、前記モータ２が回転すると、前記減速機構２２および対称的に配設されたクランク機構２１によって前記下方に配置された一対のプランジャポンプのプランジャ１１を連結する連結部材１２が図１中破線矢印で示すように左方向に移動して，前記両プランジャ１１を左方に移動させる。したがって右側のプランジャ１１は、吸引動作を行うとともに、左側のプランジャ１１は、吐出動作を行う。
【００４０】
前記右側のプランジャ１１が、吸引動作を行うと、前記第１のタンク３１内のクーラント液が配管を介して吸引され、前記開閉弁６の吸引弁６１を時計方向に揺動させて、前記配管４２を介して前記フィルタ装置５のフィルタ部材５２によってクーラント液に混入している切り粉その他の異物を除去した後、前記右側のプランジャポンプ内に吸引される。
【００４１】
またこの時前記左側のプランジャ１１が、吐出動作を行うので、前記左側のプランジャポンプ内のクーラント液が吐出され、前記フィルタ装置５のフィルタ部材５１の左側の部屋５１１に堆積していた異物がクーラント液とともに配管４１を介して開閉弁６に供給され、吐出弁６２を時計方向に揺動させて、前記第２のタンク３２に排出される。
【００４２】
クーラント液とともに排出された異物は、前記第２のタンク３２の上部の上方に配設された前記第１の切り粉受けカゴ７３の粗いメッシュの網７１により大きな切り粉を捕獲するとともに、下方に配設された第２の切り粉受けカゴ７４の細かいメッシュの網７２により小さな切り粉も捕獲される。
【００４３】
この時、前記上方に配置された一対のプランジャポンプのプランジャ１１を連結する連結部材１２が図１中破線矢印で示すように右方向に移動して，前記両プランジャ１１を右方に移動させる。したがって左側のプランジャ１１は、吸引動作を行うとともに、右側のプランジャ１１は、吐出動作を行い、上述と同様の作用が行われる。
【００４４】
上記作用を奏する第１実施例のクーラント清掃装置は、前記プランジャポンプ１の吸引動作において吸引されたクーラント液に含まれる切り粉その他の異物を、前記フィルタ装置５によって除去するとともに、前記プランジャポンプ１の次の吐出動作において前記１個のポート１３に連絡した前記フィルタ装置５のフィルタ部材５１、５２、５３、５４に堆積した異物を前記配管を介して前記第２のタンク３２に排出するので、クーラント液の流れの抵抗の増加を防止するとともに、通過するクーラント液に切り粉その他の異物の混入を防止して、前記ポンプ１への悪影響を防止するという効果を奏する。
【００４５】
また第１実施例のクーラント清掃装置は、両プランジャが連結部材によって連結されているため、一方のプランジャポンプが吸引動作を行い吸引されたクーラント液に含まれる切り粉その他の異物を前記保護フィルタによって除去している時、並行して他方のプランジャポンプが吐出動作を行い前記保護フィルタに堆積した異物を前記配管を介して前記タンクに排出するので、両プランジャの慣性を互いに相殺するため振動騒音を低減し、防音室を不要にするという効果を奏する。
【００４６】
さらに第１実施例のクーラント清掃装置は、前記モータ２によって前記回転軸上に対称に配設された前記クランク機構を介して前記両プランジャ１１を連結している前記連結部材１２を往復動させるため、下方のプランジャポンプが左方に移動している時に、上方のプランジャポンプが右方に移動しているので、上下の両プランジャの慣性を互いに相殺するとともに、一対の対称的に配設されたクランク機構によって回転バランスをとり、アンバランスを無くすため、一層振動騒音を低減し、防音室を不要にするという効果を奏する。
【００４７】
また第１実施例のクーラント清掃装置は、前記プランジャポンプの吸引動作において吸引されたクーラント液に含まれる切り粉その他の異物を除去することにより前記フィルタ部材の上流側の部屋に堆積した切り粉その他の異物を次の吐出動作において前記配管を介して前記タンクに排出するので、常にフィルタ部材を清掃しながら使用するため、従来装置のようなフィルタの目づまりおよびクーラント液の流れの抵抗の単調増加を防止するとともに、通過するクーラント液に切り粉その他の異物の混入を防止して、前記ポンプＰへの悪影響を防止するとともに、クーラント液の安定供給を実現するという効果を奏する。
【００４８】
さらに第１実施例のクーラント清掃装置は、前記フィルタ装置５と前記第１および第２のタンク３１、３２との間の配管に配設された前記開閉弁６の前記吸引弁６１および吐出弁６２によるクーラント液の流れの方向が一方向に制御されるので、排出された切り粉その他の異物を吸引されたクーラント液に混入することを防止するとともに、確実に前記タンクに排出することが出来るという効果を奏する。
【００４９】
また第１実施例のクーラント清掃装置は、前記第２のタンク３２の上部に並設した異なるメッシュの網を張設した前記第１および第２の切り粉受けカゴ７３、７４により、前記ポンプの吐出動作において前記タンクに排出された切り粉その他の異物を捕獲して、前記クーラント液のみを前記タンク内に落下させるとともに、前記切り粉受けカゴに一定量以上の切り粉その他の異物が堆積すると、前記切り粉受けカゴを取外して堆積した異物を除去するので、前記タンクに収容されるクーラント液に切り粉その他の異物の混入を有効に防止して、前記ポンプＰへの悪影響を防止するという効果を奏する。
【００５０】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５１】
上述の実施例においては、プランジャポンプを用いた例について一例として説明したが、本発明はそれに限定するものではなく、例えば回転方向を変えることにより、吸引動作および吐出動作を実現するギヤポンプ、トロコイドポンプ、ラジアルピストンポンプ、アキシャルピストンポンプを採用することも可能である。
【図面の簡単な説明】
【図１】本発明の第１実施例装置を示すブロック図である。
【図２】第１の従来装置を示すプロック図である。
【図３】第２の従来装置を示すプロック図である。
【図４】第３の従来装置を示す断面図である。
【符号の説明】
１  プランジャポンプ
２  モータ
４  配管
５  フィルタ装置
６  開閉弁
７  切り粉受けカゴ
１１  プランジャ
１２  連結部材
２１  クランク機構
３１  第１のタンク
３２  第２のタンク
６１  吸引弁
６２  吐出弁
７１、７２  網
【図１】
0003603363.tif 000002
【図２】
0003603363.tif 000003
【図３】
0003603363.tif 000004
【図４】
0003603363.tif 000005